(57)【要約】【目的】  揮散性を有する薬剤を少なくとも外装面に保持する基材への人体の接触を防止することができる簡素かつ安価な薬剤放散体を提供する。【構成】  防虫材１は、揮散性を有する防虫材を少なくとも外装面に保持する基材３が、該基材３への人体の接触を防止する網状の防護シート２・２で挟持されている。これにより、簡素かつ安価な構成で上記基材３への人体の接触を防止することができる。【選択図】  図１
0003104770.tif 000002
【実用新案登録請求の範囲】
【請求項１】
揮散性を有する薬剤を少なくとも外装面に保持する基材が、この基材への人体の接触を防止する網状のシート部材で挟持されていることを特徴とする薬剤放散体。
【請求項２】
上記シート部材は、上記基材よりも面積が大きく、かつ、上記シート部材の周縁部が上記基材の周縁部よりも外側に位置するように上記基材を挟持していることを特徴とする請求項１に記載の薬剤放散体。
【請求項３】
上記シート部材の厚みは、０．１ｍｍ以上、１．０ｍｍ未満であることを特徴とする請求項１または２に記載の薬剤放散体。
【請求項４】
上記シート部材の網目の差渡し長さは、０．５ｍｍ以上、１０．０ｍｍ未満であることを特徴とする請求項１〜３の何れか１項に記載の薬剤放散体。
【請求項５】
上記シート部材の総面積に占める上記シート部材の網目の総面積の割合は、５０％以上、９５％以下であることを特徴とする請求項４に記載の薬剤放散体。
【請求項６】
上記シート部材は可撓性を有していることを特徴とする請求項１〜５の何れか１項に記載の薬剤放散体。
【請求項７】
上記シート部材は繊維製品からなることを特徴とする請求項１〜６の何れか１項に記載の薬剤放散体。
【請求項８】
上記シート部材は、上記基材よりも面積が大きく、かつ、上記シート部材の周縁部が上記基材の周縁部よりも外側に位置するように上記基材を挟持していると共に、
少なくとも上記シート部材は可撓性を有し、上記シート部材の周縁部で上記基材を包囲するように、その中心部で括着されていることを特徴とする請求項１に記載の薬剤放散体。
【請求項９】
上記シート部材と基材とが複数積層されてなる多層構造を有していることを特徴とする請求項１〜８の何れか１項に記載の薬剤放散体。
【請求項１０】
上記シート部材と基材とは、互いに交互に積層されていることを特徴とする請求項９に記載の薬剤放散体。
【請求項１１】
上記揮散性を有する薬剤が、防虫剤、殺虫剤、防黴剤、芳香剤、消臭剤からなる群より選ばれる少なくとも一種の薬剤であることを特徴とする請求項１〜１０の何れか１項に記載の薬剤放散体。
【考案の詳細な説明】
【技術分野】
【０００１】
本考案は、防虫材、殺虫材、防黴材、芳香材、消臭材等の薬剤放散体に関するものであり、より詳しくは、紙や不織布、プラスチックの板、フィルム等の基材に、防虫剤、殺虫剤、防黴剤、消臭剤、芳香剤等の揮散性を有する生理活性物質や香料等の薬剤を含浸、塗布、もしくは混練して生活環境下で使用する場合に、これら基材に人体が直接接触することを防止することができる簡素かつ安価な薬剤放散体に関するものである。
【背景技術】
【０００２】
近年、防虫材、殺虫材、防黴材、芳香材、消臭材等として、ナフタリンや樟脳等のように昇華性を有し、最終的に消滅する固形の薬剤に代えて、揮散性、特に常温で経時的に揮散する常温揮散性を有する薬剤を、紙等の基材に含浸させて使用する薬剤放散体が主流に用いられている。
【０００３】
しかしながら、上記薬剤が付着した基材を使用時に手で直接把持する等、皮膚に上記薬剤が付着すると、発疹や炎症等を引き起こす場合がある。
【０００４】
そこで、公知の薬剤放散体の中には、上記薬剤を含浸させた基材を、通気孔を設けたプラスチックケースに収容して使用するものもある。
【考案の開示】
【考案が解決しようとする課題】
【０００５】
しかしながら、このようなプラスチックケースは加工に時間や手間がかかり、また、基材寸法等に応じて、薬剤放散体の種類毎に各々異なるケースが用いられることから、上記薬剤放散体を安価に製造することができないという問題点を有している。
【０００６】
本考案は、上記従来の問題点に鑑みてなされたものであり、その目的は、揮散性を有する薬剤を少なくとも外装面に保持する基材への人体の接触を防止することができる簡素かつ安価な薬剤放散体を提供することにある。
【課題を解決するための手段】
【０００７】
本考案にかかる薬剤放散体は、上記の目的を達成するために、揮散性を有する薬剤を少なくとも外装面に保持する基材が、この基材への人体の接触を防止する網状のシート部材で挟持されていることを特徴としている。
【０００８】
上記薬剤放散体は、揮散性を有する薬剤を少なくとも外装面に保持する基材が、この基材への人体の接触を防止する網状のシート部材で挟持されていることで、簡素な構造ながらも、上記基材表面（外装面）の薬剤が人体に直接接触することがない。このため、上記の構成によれば、簡素な構成にて上記薬剤による発疹や炎症等の薬害から人体を保護することができ、安全かつ安心して上記薬剤放散体を取り扱うことができる。
【０００９】
また、上記薬剤放散体は、上記基材が上記シート部材で挟持された構成を有することから、従来のように上記基材を収容するプラスチックケースの製造を必要としない。このため、上記の構成によれば、従来よりも単時間でかつ安価に上記薬剤放散体を製造することができる。
【００１０】
しかも、上記薬剤放散体は、上記基材が上記シート部材で挟持された構造を有することから、上記基材の形状や厚みの違いを許容し、種々の形状や大きさを有する基材に容易に対応することができる。このため、上記の構成によれば、従来のように、基材寸法等に応じて薬剤放散体の種類毎に各々異なるプラスチックケースを製造する必要がなく、上記基材や薬剤の選択の自由度が高く、また、改良や変更への対応が容易である。
【００１１】
よって、上記の構成によれば、上記基材への人体の接触を防止することができる簡素かつ安価な薬剤放散体を提供することができるという効果を奏する。
【００１２】
さらに、上記薬剤放散体は、上記基材を上記シート部材で挟持してなることで、上記基材をプラスチックケースに収容する場合と比較して小型化および薄型化が可能であると共に、上記基材を挟持するシート部材が網状のシート部材であることから、揮散した上記薬剤を、効率良く放散させることができるという効果を併せて奏する。
【００１３】
また、上記薬剤放散体は、上記基材を網状のシート部材で挟持してなることで、上記薬剤の放散性の調節が容易である。
【００１４】
例えば、上記薬剤放散体は、上記シート部材に、網目の大きさが異なるシート部材を使用したり、可撓性を有するシート部材を使用し、折り曲げたり重ねて使用することで、その被覆率（開口率）を容易に変更することができる。また、上記薬剤放散体は、上記基材を網状のシート部材で挟持してなることで、設計変更が容易であり、上記シート部材と基材とが複数積層された多層構造とすることで、上記放散性を調節することもできる。
【００１５】
さらに、上記薬剤放散体は、上記網状のシート部材に繊維製品を使用することで、該シート部材が、上記薬剤の揮散成分（薬効成分、香気成分）を取り込み、保持することで、上記薬剤の徐放性を高めることができる。
【００１６】
よって、上記薬剤放散体は、上記シート部材が可撓性を有していることが望ましい。上記シート部材が可撓性を有していることで、上記したように、該シート部材による上記基材の被覆率（開口率）を容易に変更することができるので、上記薬剤の放散性を容易に調節することができるという効果を奏する。
【００１７】
さらに、上記シート部材が可撓性を有していることで、上記基材の形状や厚みの違いを許容し、種々の形状や厚みを有する基材により容易に対応することができると共に、当該薬剤放散体を折り曲げたり丸めたり反らせたりする等、ユーザが形状や大きさを容易に変えることができる。このため、使用環境に容易に適応させることが可能であり、また、省スペースでの使用が可能となるという効果を併せて奏する。
【００１８】
また、上記薬剤放散体は、上記したように、上記シート部材が繊維製品からなることが望ましい。上記シート部材が繊維製品からなることで、上記したように上記薬剤の徐放性（放散性）を調節することができると共に、上記シート部材に可撓性をもたせることができるので、上記基材の形状や厚みの違いを許容し、種々の形状や厚みを有する基材により容易に対応することができると共に、使用環境に容易に適応させることが可能であり、また、省スペースでの使用が可能となるという効果を併せて奏する。
【００１９】
さらに、上記薬剤放散体は、上記したように、上記シート部材と基材とが複数積層されてなる多層構造を有していることが望ましい。上記薬剤放散体が、上記シート部材と基材とが複数積層されてなる多層構造を有していることで、基材数を増加させて揮散量（放散量）を増加させることができるので、上記放散性を容易に調節することができるという効果を奏する。
【００２０】
また、上記薬剤放散体が、上記シート部材と基材とが複数積層されてなる多層構造を有していることで、各基材に互いに異なる薬剤を担持させることができ、一つの薬剤放散体中に複数種類の薬剤を保持することができることから、一つの薬剤放散体に、複数の機能をもたせることができるという効果を併せて奏する。
【００２１】
また、この場合、上記シート部材と基材とは、互いに交互に積層されていることがより望ましい。上記シート部材と基材とが、互いに交互に積層されていることで、上記基材間のシート部材により、各基材による薬剤の放散を妨げることがなく、効率良く上記薬剤を放散させることができるという効果を奏する。
【００２２】
また、上記の構成によれば、上記したように各基材に互いに異なる薬剤を担持させた場合、各基材が互いに接触することを防止することができるので、各々の機能が阻害されることがなく、しかも、薬剤の選択・組み合わせの自由度を高めることができるという効果を併せて奏する。
【００２３】
なお、上記薬剤放散体は、上記基材が上記シート部材で挟持されていることから、上記多層構造とした場合、その最外層は、上記シート部材である。
【００２４】
上記揮散性を有する薬剤としては、例えば、防虫剤、殺虫剤、防黴剤、芳香剤、消臭剤からなる群より選ばれる少なくとも一種の薬剤が挙げられる。
【００２５】
また、上記シート部材の厚みは、０．１ｍｍ以上、１．０ｍｍ未満であることが望ましい。上記シート部材の厚みを、上記シート部材の材質に応じて、０．１ｍｍ以上、１．０ｍｍ未満の範囲内で設定することで、外形を大きくすることなく、上記基材への人体の接触を防止することができるという効果を奏する。
【００２６】
なお、従来のプラスチックケースは、ケースとしての強度の問題から、一般的には５．０ｍｍ〜１０．０ｍｍの範囲内に設定されていたが、上記シート部材の厚みは、上記従来のプラスチックケースと比較して格段に薄い。
【００２７】
さらに、上記シート部材の網目の差渡し長さは、０．５ｍｍ以上、１０．０ｍｍ未満であることが望ましい。上記シート部材の網目の差渡し長さを、上記シート部材の材質や厚み等に応じて、０．５ｍｍ以上、１０．０ｍｍ未満の範囲内に設定することで、上記薬剤を、外部に効率よく放散させることができると共に、上記基材への人体の接触を防止することができるという効果を奏する。
【００２８】
また、上記シート部材の総面積に占める上記シート部材の網目の総面積の割合は、５０％以上、９５％以下であることが好ましい。上記差渡し長さを有する網目が設けられたシート部材の総面積に占める上記シート部材の網目の総面積を５０％以上、９５％以下とすることで、通常の織布や不織布と異なり、揮散した薬剤を外部に効率よく放散させることができるという効果を奏する。
【００２９】
さらに、上記シート部材は、上記基材よりも面積が大きく、かつ、上記シート部材の周縁部が上記基材の周縁部よりも外側に位置するように上記基材を挟持していることが望ましい。
【００３０】
また、上記シート部材は、上記基材よりも面積が大きく、かつ、上記シート部材の周縁部が上記基材の周縁部よりも外側に位置するように上記基材を挟持していると共に、少なくとも上記シート部材は可撓性を有し、上記シート部材の周縁部で上記基材を包囲するように、その中心部で括着されていることが望ましい。
【００３１】
上記シート部材が、上記基材よりも面積が大きく、かつ、上記シート部材の周縁部が上記基材の周縁部よりも外側に位置するように上記基材を挟持していることで、上記基材全体を上記シート部材で被覆することができる。このため、上記の構成によれば、上記基材が上記シート部材からはみ出さず、上記基材に人体が直接接触するおそれがなく、より安全で信頼性の高い薬剤放散体を提供することができるという効果を奏する。また、上記の構成によれば、上記シート部材の周縁部を、上記薬剤放散体を把持する際の把持部として利用することができるので、把持し易く、また、取り扱い性に優れた薬剤放散体を提供することができるという効果をさらに奏する。
【００３２】
また、少なくとも上記シート部材が可撓性を有し、上記シート部材の周縁部で上記基材を包囲するように、その中心部で括着されていることで、上記シート部材の周縁部によって包囲された上記薬剤放散体の芯となる部分で上記基材を保持することができるので、上記基材が人体に直接接触することがなく、チャイルドプルーフとして安全性が極めて高く、信頼性に優れた薬剤放散体を提供することができる。
【００３３】
また、上記シート部材が網状のシート部材からなることで、上記基材が上記薬剤放散体の芯となる部分で保持され、上記シート部材の周縁部で上記基材を包囲していても、上記基材に担持された薬剤の放散を阻害することがない。しかも、上記の構成によれば、上記基材を包括する網状のシート部材により、上記薬剤を多方面に放散させることができるので、上記薬剤の放散性に優れた薬剤放散体を提供することができるという効果を併せて奏する。
【考案の効果】
【００３４】
本考案にかかる薬剤放散体は、以上のように、揮散性を有する薬剤を少なくとも外装面に担持する基材が、該基材への人体の接触を防止する網状のシート部材で挟持されているので、上記基材表面（外装面）の薬剤が人体に直接接触することがなく、簡素な構成にて上記薬剤に薬害から人体を保護することができ、安全かつ安心して上記薬剤放散体を取り扱うことができるという効果を奏する。
【００３５】
また、上記の構成によれば、従来のように上記基材を収容するプラスチックケースの製造を必要とせず、また、個々の基材の形状や厚みの違いを許容することができるので、従来よりも単時間でかつ安価に製造することができる。さらに、上記薬剤放散体は、上記基材を上記シート部材で挟持してなることで、上記基材をプラスチックケースに収容する場合と比較して小型化および薄型化が可能であると共に、上記基材を挟持するシート部材が網状のシート部材であることから、揮散した上記薬剤を、効率良く放散させることができるという効果を併せて奏する。
【考案を実施するための最良の形態】
【００３６】
本考案にかかる実施の一形態について、図１〜３に基づいて説明すれば、以下のとおりである。
【００３７】
なお、以下の実施の形態では、本考案にかかる薬剤放散体として、揮散性を有する薬剤として、常温揮散性を有する防虫剤を用いた防虫材（防虫剤放散体）を例に挙げて説明するものとするが、本考案はこれに限定されるものではない。
【００３８】
図１は、本考案にかかる防虫材の概略構成を示す分解斜視図である。
【００３９】
図１に示すように、本考案にかかる防虫材１は、２枚の網状の防護シート２・２と、上記防護シート２・２で挟持された基材３とを備えている。
【００４０】
上記基材３は、少なくともその表面に、揮散性を有する薬剤を保持している構成を有している。このような基材３は、例えば、紙、不織布、プラスチック板、フィルム等のベースとなる基材（ベース基材）に、揮散性を有する薬剤を例えば含浸、塗布、もしくは混練することにより得ることができる。そのなかでも、吸液性を有するベース基材を、揮散性を有する液状の薬剤に含浸させてなるいわゆる含浸紙が、薬剤担持能（保持能）に優れ、かつ、製造が容易であることから特に好適に用いられる。上記薬剤は、必要に応じて溶媒に溶解もしくは分散させて使用してもよく、必要に応じて適宜、乾燥、溶媒除去等が行われる。
【００４１】
上記基材３としては、例えば、シート状、板状、もしくはマット状等、薄い平板状の基材が好適に用いられる。そのなかでも、上記基材３としては、シート状の基材が好ましく、可撓性を有するシート状の基材が特に好適に用いられる。
【００４２】
また、上記防護シート２は、上記基材３への人体の接触を防止する網状のシート部材であり、上記基材３を生活環境下で使用するに際し、指等の人体の一部が上記基材３に直接接触することを防止することができるように、該防護シート２に使用する材質（素材）等に応じて、その厚みや網目（開口部）の差し渡しの長さ（大きさ）等が適宜設定される。
【００４３】
上記防護シート２としては、具体的には、例えば、隙間、すなわち網目（開口部）を有する、レース状の布；網目状プラスチック；格子状鋼板；金網；等、通気性に優れた網状のシート部材が用いられる。上記防護シート２は、剛性を有する材質にて製造されたシート部材であってもよく、表面処理等により後天的に剛性をもたせたシート部材であってもよいが、可撓性を有するシート部材であることがより好ましい。
【００４４】
上記防護シート２が可撓性を有していることで、上記基材３の個々の形状や厚みの違いを許容し、種々の形状や厚みを有する基材３に、より容易に対応することができる。また、少なくとも上記防護シート２が可撓性を有していることで、上記防護シート２、ひいては上記防虫材１全体を、折り曲げたり丸めたり反らせたりする等、ユーザが形状や大きさを容易に変えることができる。このため、使用環境に容易に適応させることが可能であり、また、省スペースでの使用が可能となる。
【００４５】
なお、本実施の形態によれば、上記基材３は、上記防護シート２・２で挟持されていることで、上記基材３上に防護シート２…を容易に積層することができるので、上記防護シート２が剛性を有している場合でも、上記薬剤の放散性の調整を行うことが可能である。しかしながら、上記防護シート２が可撓性を有していることで、例えば上記防護シート２を折り曲げたり丸めたりすることで、上記基材３の外装面上に上記防護シート２を多層に重ねることができ、上記防護シート２による上記基材３の被覆率（開口率）を容易に変更することができるので、上記薬剤の放散性を容易に調節することができる。
【００４６】
また、上記防護シート２は、繊維製品からなることが好ましい。該繊維製品に使用される繊維としては、綿や絹、麻等の天然繊維からなるものであってもよく、プラスチック等の合成繊維からなるものであってもよい。
【００４７】
上記防護シート２が特に繊維製品からなることで、上記防護シート２が、上記薬剤の揮散成分（薬効成分、香気成分）を取り込み、保持することで、上記薬剤の徐放性を高め、上記薬剤の徐放性（放散性）を調節することができる。
【００４８】
また、上記防護シート２が繊維製品からなることで、上記防護シート２に容易に可撓性をもたせることができる。
【００４９】
また、上記防護シート２として、上記レース状の布を使用することで、上記した効果を得ることができると共に、装飾性に特に優れた薬剤放散体を得ることができる。一方、上記防護シート２として、プラスチック等の合成繊維からなるネット等を使用することで、より安価な薬剤放散体を得ることができる。
【００５０】
上記防護シート２の厚みは、０．１ｍｍ以上、１．０ｍｍ未満であることが好ましい。上記防護シート２の厚みを、上記防護シート２の材質に応じて上記範囲内で設定することで、上記防虫材１の外形を大きくすることなく、上記基材３への人体の接触を防止することができる。
【００５１】
なお、従来のプラスチックケースは、ケースとしての強度の問題等から、一般的には５．０ｍｍ〜１０．０ｍｍの範囲内に設定されていたが、上記防護シート２の厚みは、上記従来のプラスチックケースと比較して格段に薄い。
【００５２】
さらに、上記防護シート２における各開口部２ａ…（網目）の差渡し長さ（図１中、ｃ，ｄ）は、０．５ｍｍ以上、１０．０ｍｍ未満であることが好ましい。上記差渡し長さ（開口長）が０．５ｍｍ未満であれば、上記基材３の放散を妨げるおそれがある。一方、上記差渡し長さが１０．０ｍｍよりも大きければ、上記防護シート２の厚みにもよるが、上記防虫材１を例えば把持したときに、上記基材３に人体が直接接触してしまうおそれがある。よって、上記防護シート２の開口長を、上記防護シート２の材質や厚み等に応じて、０．５ｍｍ以上、１０．０ｍｍ未満の範囲内に設定することで、上記薬剤を、外部に効率よく放散させることができると共に、上記基材３への人体の接触を防止することができる。
【００５３】
また、上記防護シート２の総面積に占める上記開口部２ａの総面積の割合は、５０％以上、９５％以下であることが好ましい。上記開口長を有する網目が設けられた上記防護シート２の総面積に占める上記防護シート２の網目の総面積を５０％以上、９５％以下とすることで、通常の織布（つまり、開口部を有するように網状に形成されていない織布）や不織布を上記基材３の保持部材として用いた場合と異なり、揮散した薬剤を外部に効率よく放散させることができる。
【００５４】
上記揮散性を有する薬剤、すなわち、本実施の形態では防虫剤としては、従来公知の各種防虫剤を使用することができる。上記防虫剤としては、例えば、ナフタリン、エンペントリン、パラジクロルベンゼン等が挙げられるが、特に限定されるものではない。
【００５５】
本実施の形態にかかる上記防虫材１は、例えば、図１に示すように、上記防護シート２の中央に上記基材３を載置し、該基材３を覆うように上記基材３上にさらに防護シート２を重ねて上記基材３を上記防護シート２・２で挟持することにより得ることができる。
【００５６】
なお、本実施の形態において、図１に示す防虫材１では、上記防護シート２・２に、同じ構造を有するネット（網状の布）を使用している。具体的には、本実施の形態では、上記防護シート２・２に、図１中、一辺の長さが共に１５ｃｍの略正方形状のネットを使用し、上記基材３として、該基材３の長手方向（図１中、ａ方向）の長さが１１ｃｍであり、上記長手方向と直交する短手方向（図１中、ｂ方向）の長さが９ｃｍの基材を使用したが、上記寸法は単なる一例であり、本考案はこれにより何ら限定されるものではない。
【００５７】
本実施の形態では、上記寸法を有する防護シート２・２で上記基材３を挟持したことにより、上記防護シート２・２で上記基材３全体を被覆している。このため、本実施の形態では、上記基材３が上記防護シート２からはみ出さず、上記基材３に人体が直接接触するおそれがなく、より安全で信頼性の高い防虫材１を提供することができる。このため、上記防虫材１は、チャイルドプルーフとして好適に用いられる。
【００５８】
さらに、本実施の形態によれば、上記防護シート２の周縁部を、上記防虫材１を把持する際の把持部として利用することができるので、把持し易く、また、取り扱い性に優れた防虫材１を提供することができる。
【００５９】
また、図１に示す防虫材１では、各防護シート２に、約０．５ｍｍの厚みを有するネットを使用すると共に、基材３に、約０．５ｍｍの厚さを有する紙（含浸紙）を使用している。このため、該基材３に上記２枚の防護シート２を重ねても、これにより得られる上記防虫材１の厚さの合計は、約１．５ｍｍ〜２．０ｍｍ程度である。これに対して、プラスチックケースを用いた従来の防虫材（防虫具）は、前記したようにその厚みが約５．０ｍｍ〜１０．０ｍｍである。よって、本実施の形態によれば、従来よりも薄型の防虫材１を提供することができる。
【００６０】
上記防護シート２・２と上記基材３とは、例えば上記防護シート２・２が、その周縁部で、接着剤もしくは縫合、溶接等により、その四方で、もしくは辺あるいは点で部分的に接合されていることにより上記基材３が上記防護シート２・２から抜脱しないように挟持されている構成としてもよく、上記基材３の例えば全面もしくは一部（例えば中心部もしくは中央線に沿って）で上記防護シート２に、接着剤もしくは縫合等で固着されることにより上記防護シート２・２に固定（挟持）されている構成としてもよい。
【００６１】
また、本実施の形態によれば、上記基材３および防護シート２・２は、最も外側（最外層）に防護シート２が配されるように上記基材３および防護シート２を複数積層して使用することもできる。すなわち、上記防虫材１は、上記防護シート２と基材３とが複数積層されてなる多層構造を有していてもよい。
【００６２】
上記防虫材１が、防護シート２と基材３とを複数積層されてなる多層構造を有していることで、上記薬剤の揮散量（放散量）を増加させることができ、上記薬剤の放散性を容易に調節することができる。
【００６３】
また、上記防虫材１が、防護シート２と基材３とを複数積層されてなる多層構造を有していることで、各基材３に互いに異なる薬剤（例えば殺虫剤、防黴剤、消臭剤、芳香剤等）を担持させることができる。これにより、上記防虫材１に、容易に複数の機能をもたせることができる。
【００６４】
このように上記防虫材１を多層構造とする場合、上記防護シート２と基材３とは、互いに交互に形成されていてもよく、２枚の防護シート２・２間に複数の基材３…が挟持（積層）されている構成としてもよいが、上記防護シート２と基材３とは、互いに交互に積層されていることがより好ましい。
【００６５】
上記防護シート２と基材３とが互いに交互に積層されていることで、上記基材３間の防護シート２により、各基材３による薬剤の放散を妨げることがなく、効率良く上記薬剤を放散させることができる。
【００６６】
また、上記したように各基材３に互いに異なる薬剤を担持させた場合、各基材３・３が互いに接触することを防止することができるので、各々の機能が阻害されることがなく、しかも、薬剤の選択・組み合わせの自由度を高めることができる。
【００６７】
なお、本実施の形態によれば、上記防虫材１は上記基材３が上記防護シート２・２で挟持されてなり、前記したように、従来に比べて薄型化されているため、上記したように多層構造としても、従来よりも薄型でかつ従来よりも放散性に優れた防虫材１を提供することができる。
【００６８】
以上のように、本実施の形態において用いられる上記基材３は、上記薬剤がベース基材に担持されている構成を有していることで、昇華により消滅する等して形状変化をきたすことがないので、その全面を封止・密閉しなくても上記基材３が縮径して保持部材から抜脱する等の問題が生じない。このため、本実施の形態によれば、上記防護シート２・２として網状のシート状部材の使用が可能であり、また、上記防護シート２により上記基材３が完全に封止されている必要もない。したがって、本実施の形態によれば、上記基材３を上記防護シート２・２により単に挟持するだけで、上記基材３への人体の接触を防止し、上記基材３の表裏面（外装面）に付着している上記薬剤が皮膚に直接付着し、発疹や炎症等の薬害を引き起こすことを防止することができると共に、種々の基材３に対応することができ、しかも簡素で安価な、放散性に優れた薬剤放散体を提供することができる。
【００６９】
なお、本実施の形態では、具体例として、図１に示すように、上記防護シート２に、略正方形の格子状の開口部２ａ…を有するネットを使用したが、本考案はこれに限定されるものではなく、各開口部２ａ…は、互いに開口長が異なっていてもよい。また、上記開口部２ａは、正方形状に限定されるものではなく、六角形あるいは八角形等の多角形状、さらには略円形状に形成されていてもよく、その形状は特に限定されるものではない。
【００７０】
また、本実施の形態では、上記防護シート２・２の面積（すなわち、上記防護シート２・２における上記基材３との接触面の面積）が、上記基材３の面積（すなわち、上記基材３における上記防護シート２との接触面の面積）よりも大きく、上記防護シート２の周縁部が上記基材３の周縁部よりも外側に位置するように上記基材３全体を被覆（挟持）している構成としたが、本考案はこれに限定されるものではなく、上記基材３に対し、上記防護シート２・２をずらして配置してもよく、上記防護シート２・２が、上記基材３と同じもしくは基材３よりも小さい面積を有している構成としてもよい。すなわち、本実施の形態によれば、上記防虫材１が、例えば把持部として、上記基材３の一部が上記防護シート２・２で挟持されている構成としてもよい。これにより、上記防虫材１を使用する際に、上記基材３に直接手を触れることなく上記防虫材１を把持することができる。
【００７１】
また、本実施の形態では、上記防護シート２・２に、互いに同じ構造を有する一対の防護シートを使用したが、本考案はこれに限定されるものではなく、上記防護シート２・２は、互いに異なる大きさを有していてもよい。例えば、一方の防護シート２を他方の防護シート２よりも大きく形成することで、他方の防護シート２の縁部から外側に突出する縁部を把持部として使用してもよく、また、上記防虫材１を細く巻いて使用する場合、巻締めに使用してもよい。
【００７２】
さらに、上記防虫材１は、１枚の防護シート２で上記基材３の縁部を挟むように上記基材３を挟持する構成としてもよく、１枚の防護シート２を折り畳んでその内部に上記基材３を収容する構成としてもよい。
【００７３】
また、図１に示す防虫材１においては、上記基材３にシート状の基材を使用して平板状の薄型の防虫材１を作製したが、本考案はこれに限定されるものではない。上記防虫材１の変形例として、図２に示すように、例えば、上記基材３に予め折目をつけることにより、ユーザが使用時に容易に折り畳んで使用することができるようにしてもよく、上記基材３を予め立体成形して上記基材３における外形の単位面積当たりの表面積を大きくすることで、平面視の面積がより小さい小型の防虫材１を作製することもできる。
【００７４】
なお、図２では、上記基材３が、その短手方向（図２中、ｂ方向）に沿って屈曲され、その長手方向（図２中、ａ方向）に、４つの山部と３つの谷部とが設けられている構成としたが、本考案は、これに限定されるものではない。
【００７５】
何れにしても、本実施の形態にかかる防虫材１によれば、上記基材３への人体の接触を防止することができる、簡素かつ安価な防虫材１を提供することができる。
【００７６】
なお、本実施の形態においては、本考案にかかる防虫材１として、主に平板状の防虫材を例に挙げて説明したが、本考案はこれに限定されるものではなく、立体構造を有していてもよい。
【００７７】
図３は、本考案にかかる球状の防虫材の概略構成を示す断面図である。
【００７８】
図３に示す球状の防虫材４は、上記防護シート２と基材３とが、例えば交互に積層されてなる積層構造を有する防虫材であり、上記防護シート２が上記基材３よりも面積が大きく、かつ、上記防護シート２の周縁部が上記基材３の周縁部よりも外側に位置するように上記基材３を挟持していると共に、少なくとも上記防護シート２が可撓性を有し、上記防護シート２の周縁部で上記基材３を包囲するように、その中心部で括着されている構成を有している。
【００７９】
上記防虫材４は、例えば、最外層に防護シート２が配されるように、複数の防護シート２…と基材３…とを交互に重ねた（積層した）状態で、上記防護シート２…および基材３…を、各々の中心部で、括着具５により一つに纏めて括着（結索）することで、容易に得ることができる。
【００８０】
上記したようにその中央部で一つに纏めて括着した上記防護シート２…および基材３…は、図３に示すように、上記括着具５による括着部を中心に各防護シート２および基材３の両端部が広がる。この結果、本実施の形態によれば、図３に示すように、球体の内側（芯部分）に上記基材３を有し、該基材３が、上記防護シート２の周縁部によって包囲された球状の防虫材４を得ることができる。
【００８１】
なお、上記括着具５としては、市販のプラスチック結索体や紐等、上記防護シート２…および基材３…を一つに括る（縛る）ことができるものであれば、特に限定されない。
【００８２】
本実施の形態によれば、上記防虫材４は、上記したように、外部から手が届き難い、上記防虫材４の内側（芯部分）で上記基材３を保持することができ、該防虫材４の外装面は、上記基材３よりも外側に突出した上記防護シート２…の断面によって形成される。このため、本実施の形態によれば、上記防虫材４を、上記基材３の周縁部から離間した位置で把持することができ、上記基材３が人体に直接接触することがなく、チャイルドプルーフとして安全性が極めて高く、信頼性に優れた薬剤放散体を提供することができる。
【００８３】
また、上記防護シート２が網状のシート部材からなることで、上記基材３が上記防虫材１の芯部分で保持され、上記防護シート２の周縁部で上記基材３を包囲していても、上記基材３に担持された薬剤の放散を阻害することがない。
【００８４】
また、上記の構成によれば、上記防虫材４が球体であり、該球体内部に、上記基材３が複数、その半径方向に延設されていることから、上記基材３…に担持された薬剤を、多方面（３６０度方向）に放散させることができるので、放散効率をより向上させることができる。
【００８５】
なお、本考案にかかる薬剤放散体として上記球状の防虫材４を得る場合、上記防護シート２としては、プラスチック等の合成繊維からなるネット等を使用することがより好ましい。上記防護シート２にプラスチック等の合成繊維からなるネットを使用することで、上記防護シート２に天然繊維からなる繊維製品を使用する場合と比較して、より安価な薬剤放散体を得ることができると共に、上記基材３よりも外側に突出した上記防護シート２…の断面、すなわち、上記防虫材４の外装面に、強度を付与することができる。これにより、外力による上記防虫材４の潰れを抑制し、その形状（球体）を保持することができるので、上記基材３への人体の接触をより確実に防止することができる。
【００８６】
なお、上記防護シート２…および基材３…の括着に際しては、上記防護シート２…および基材３…を積層した状態で、図２に示すように上記基材３…を、上記防護シート２…ごと、例えば上記基材３…の短手方向（図２中、ｂ方向）に沿って折目を入れてその長手方向（図２中、ａ方向）に折り畳み、この状態で、上記防護シート２…および基材３…の中央部で括着する構成としてもよい。
【００８７】
また、図３に示す防虫材４においては、上記防護シート２…および基材３…の中央部で上記防護シート２…および基材３…を一つに纏め括着する構成としたが、本考案はこれに限定されるものではなく、例えば上記防護シート２…および基材３…の中央部で１箇所もしくは複数箇所括着する構成としてもよい。
【００８８】
さらに、図３に示す防虫材４では、防護シート２…および基材３…を複数積層してなる多層構造としたが、本考案はこれに限定されるものではなく、例えば、短手方向に対し、長手方向が十分に長い一枚の防護シート２における長手方向の中央線に沿って基材３を配し、上記基材３を上記防護シート２で被覆するように一つに纏めてその中央部で括着することによっても同様の構成を有する防虫材を得ることができる。
【００８９】
また、上記基材３は必ずしも平板状（シート状）である必要はなく、短芯（棒）状であってもよく、シート状の基材３を棒状に巻いたものを使用する等してもよい。なお、上記基材３への薬剤の担持は、上記基材３の少なくとも外装面に対して行えばよい。
【００９０】
また、本実施の形態では、上記揮散性を有する薬剤として、常温揮散性を有する防虫剤を例に挙げて説明したが、本考案はこれに限定されるものではなく、上記揮散性を有する薬剤として、殺虫剤、防黴剤、消臭剤、芳香剤等の、揮散性を有するその他の生理活性物質や香料等の薬剤等を用いることができる。
【００９１】
すなわち、本実施の形態では、本考案にかかる薬剤放散体として防虫材を例に挙げて説明したが、本考案はこれに限定されるものではなく、例えば、防虫材、殺虫材、防黴材、消臭材、芳香材等とて好適に使用することができる。
【００９２】
上記揮散性を有する薬剤としては、常温揮散性を有する薬剤に限定されるものではなく、加熱揮散性を有する薬剤であってもよい。上記揮散性を有する薬剤として加熱揮散性を有する薬剤を使用する場合には、上記ベース基材並びに防護シート２として、耐熱性を有する材質からなるベース基材並びにシート部材を使用することが好ましい。
【００９３】
本実施の形態において上記基材３と上記防護シート２との組み合わせは、使用する薬剤や、最終的に得られる薬剤放散体（製品）の目的等に応じて適宜設定すればよく、特に限定されるものではない。
【００９４】
また、上記薬剤は、一種類のみを使用してもよいし、適宜二種類以上を組み合わせて使用してもよい。上記薬剤は、各種薬効成分を有する化合物を組み合わせて組成物として使用することで、防虫、殺虫、防黴、消臭、芳香等の二種以上の効能（機能）を発揮させることもできる。
【００９５】
しかしながら、前記したように、本実施の形態にかかる薬剤放散体として、上記した各効能（機能）を有する薬剤を各々別個に担持させた複数種類の基材３を、必要に応じて間に防護シート２を介して、複数重ね合わせてなる多層構造とすることが、上記薬剤放散体に複数の効能（機能）を容易に付与することができ、薬剤の選定が容易であり、また、組み合わせの自由度を高めることができることから好ましい。
【００９６】
なお、本考案は上述した実施形態に限定されるものではなく、請求項に示した範囲で種々の変更が可能である。すなわち、請求項に示した範囲で適宜変更した技術的手段を組み合わせて得られる実施形態についても本考案の技術的範囲に含まれる。
【産業上の利用可能性】
【００９７】
本考案にかかる薬剤放散体は、生活環境下で、殺虫剤、防黴剤、消臭剤、芳香剤等の、揮散性を有する生理活性物質や香料等の薬剤を放散させる際に用いることができ、防虫材、殺虫材、防黴材、消臭材、芳香材等として特に好適に使用される。
【図面の簡単な説明】
【００９８】
【図１】本考案の実施の一形態にかかる防虫材の概略構成を示す分解斜視図である。
【図２】本考案の実施の一形態にかかる他の防虫材の概略構成を示す斜視図である。
【図３】本考案の実施の一形態にかかる球状の防虫材の概略構成を示す断面図である。
【符号の説明】
【００９９】
１    防虫材（薬剤放散体）
２    防護シート（シート部材）
２ａ  開口部（網目）
３    基材
４    防虫材（薬剤放散体）
５    括着具
【図１】
0003104770.tif 000003
【図２】
0003104770.tif 000004
【図３】
0003104770.tif 000005